(57)【特許請求の範囲】
【請求項１】
各々を一意に識別する識別情報が記録された複数の記録媒体と、
各々を一意に識別する固有端末情報を記憶した複数の通信端末と、
前記複数の通信端末と通信を行うと共に、前記複数の記録媒体にそれぞれ対応し、各々の管理権限が各々に対応する記録媒体の管理者に与えられる複数の個別領域となる記憶領域を有する記憶部を備えたサーバ装置とを備えた通信システムであって、
前記通信端末は、前記複数の記録媒体のうち任意の一つから前記サーバ装置を特定する情報と前記識別情報とを読み取る読み取り部と、前記サーバ装置を特定する情報と前記識別情報とを含む要求を前記サーバ装置へ送信する送信部とを備え、
前記サーバ装置は、
前記記録媒体ごとに、その記録媒体の識別情報と、その記録媒体の管理者が使用者となっている前記通信端末に記憶された前記固有端末情報との組を格納する組格納部と、
前記組に対応付けて、当該組に含まれる固有端末情報を記憶した前記通信端末の使用者のニックネームを登録する登録部と、
前記複数の個別領域にそれぞれ対応し、対応する個別領域へのアクセスが許可された前記通信端末の使用者の前記ニックネームを要素とする複数の許可リストを格納する許可リスト格納部と、
前記複数の通信端末のうち、前記固有端末情報が前記組格納部に格納されている一の通信端末から、他の通信端末が記憶した前記固有端末情報を含む前記組に含まれる前記識別情報を含む追加要求を受信すると、当該識別情報に対応する前記ニックネームを、一の通信端末に対応する前記個別領域に対応する前記許可リストに追加する追加部と、
前記複数の通信端末のうち任意の一つの通信端末から、前記組格納部に格納された前記識別情報のうち、その通信端末が記憶した前記固有端末情報を含む前記組に含まれている識別情報とは異なる識別情報を含むアクセス要求を受信すると、受信したアクセス要求に含まれる識別情報を記録した前記記録媒体に対応する前記個別領域に対応する前記許可リストに、当該固有端末情報に対応する少なくとも一つの前記ニックネームが入っているか否かを判定して、その個別領域へのアクセスを制御するアクセス制御部とを備える、
ことを特徴とする通信システム。
【請求項２】
各々を一意に識別する固有端末情報を記憶した複数の通信端末であって、前記通信端末は、各々を一意に識別する識別情報が記録された複数の記録媒体のうち任意の一つの記録媒体から前記サーバ装置を特定する情報と前記識別情報とを読み取る読み取り部と、前記サーバ装置を特定する情報と前記識別情報とを含む要求を前記サーバ装置へ送信する送信部とを有する前記複数の通信端末と通信を行うと共に、前記複数の記録媒体にそれぞれ対応し、各々の管理権限が各々に対応する記録媒体の管理者に与えられる複数の個別領域となる記憶領域を有する記憶部を備えたサーバ装置であって、
前記記録媒体ごとに、その記録媒体の識別情報と、その記録媒体の管理者が使用者となっている前記通信端末に記憶された前記固有端末情報との組を格納する組格納部と、
前記組に対応付けて、当該組に含まれる固有端末情報を記憶した前記通信端末の使用者のニックネームを登録する登録部と、
前記複数の個別領域にそれぞれ対応し、対応する個別領域へのアクセスが許可された前記通信端末の使用者の前記ニックネームを要素とする複数の許可リストを格納する許可リスト格納部と、
前記複数の通信端末のうち、前記固有端末情報が前記組格納部に格納されている一の通信端末から、他の通信端末が記憶した前記固有端末情報を含む前記組に含まれる前記識別情報を含む追加要求を受信すると、当該識別情報に対応する前記ニックネームを、一の通信端末に対応する前記個別領域に対応する前記許可リストに追加する追加部と、
前記複数の通信端末のうち任意の一つの通信端末から、前記組格納部に格納された前記識別情報のうち、その通信端末が記憶した前記固有端末情報を含む前記組に含まれている識別情報とは異なる識別情報を含むアクセス要求を受信すると、受信したアクセス要求に含まれる識別情報を記録した前記記録媒体に対応する前記個別領域に対応する前記許可リストに、当該固有端末情報に対応する少なくとも一つの前記ニックネームが入っているか否かを判定して、その個別領域へのアクセスを制御するアクセス制御部と、
を備えることを特徴とするサーバ装置。
【請求項３】
前記個別領域は電子掲示板であり、
前記アクセス制御部に制御されるアクセスは、前記電子掲示板の閲覧または前記電子掲示板への書き込みのためのアクセスである、
ことを特徴とする請求項２に記載のサーバ装置。
【請求項４】
各々を一意に識別する識別情報が記録された複数の記録媒体と、各々を一意に識別する固有端末情報を記憶した複数の通信端末と、前記複数の通信端末と通信を行うと共に、前記複数の記録媒体にそれぞれ対応し、各々の管理権限が各々に対応する記録媒体の管理者に与えられる複数の個別領域となる記憶領域を有する記憶部を備えたサーバ装置と備えたシステムであって、前記通信端末は、前記複数の記録媒体のうち任意の一つから前記サーバ装置を特定する情報と前記識別情報とを読み取る読み取り部と、前記サーバ装置を特定する情報と前記識別情報とを含む要求を前記サーバ装置へ送信する送信部とを備え、前記サーバ装置は、前記記録媒体ごとに、その記録媒体の識別情報と、その記録媒体の管理者が使用者となっている前記通信端末に記憶された前記固有端末情報との組を格納する組格納部と、前記組に対応付けて、当該組に含まれる固有端末情報を記憶した前記通信端末の使用者のニックネームを登録する登録部と、前記複数の個別領域にそれぞれ対応し、対応する個別領域へのアクセスが許可された前記通信端末の使用者の前記ニックネームを要素とする複数の許可リストを格納する許可リスト格納部と、前記複数の通信端末のうち、前記固有端末情報が前記組格納部に格納されている一の通信端末から、他の通信端末が記憶した前記固有端末情報を含む前記組に含まれる前記識別情報を含む追加要求を受信すると、当該識別情報に対応する前記ニックネームを、一の通信端末に対応する前記個別領域に対応する前記許可リストに追加する追加部と、前記複数の通信端末のうち任意の一つの通信端末から、前記組格納部に格納された前記識別情報のうち、その通信端末が記憶した前記固有端末情報を含む前記組に含まれている識別情報とは異なる識別情報を含むアクセス要求を受信すると、受信したアクセス要求に含まれる識別情報を記録した前記記録媒体に対応する前記個別領域に対応する前記許可リストに、当該固有端末情報に対応する少なくとも一つの前記ニックネームが入っているか否かを判定して、その個別領域へのアクセスを制御するアクセス制御部とを備える、ことを特徴とする通信システムにおける前記記録媒体と、
前記通信端末に取り付けるための取り付け部と、
を備える玩具。
【請求項５】
前記通信端末は携帯電話機である、
ことを特徴とする請求項４に記載の玩具。
【請求項６】
前記識別情報を含む情報を表す二次元バーコードが印刷された被印刷部を有する、
ことを特徴とする請求項４に記載の玩具。
【発明の詳細な説明】
【技術分野】
【０００１】
本発明は、通信システム、サーバ装置および玩具に関する。
【背景技術】
【０００２】
特許文献１には、電子掲示板へのアクセスにパスワード認証を必要とするシステムが開示されている。このシステムにおける電子掲示板は、結婚式の二次会の案内等の各種情報を掲示するためにサーバ装置上に実装されるものであり、この電子掲示板へのアクセスに必要なパスワードは、事前に、結婚式への招待状に印刷されて、招待される人へ配布される。
【特許文献１】特開２００２−９２２０１号公報
【発明の開示】
【発明が解決しようとする課題】
【０００３】
特にＳＮＳ（Social Networking Service）の分野では、サーバ装置の特定の記憶領域の管理者に招待された人が当該記憶領域にアクセスすることを確実に許可し、同管理者に招待されていない人が当該記憶領域にアクセスすることを十分に高い精度で拒否することができる仕組みが待望されている。電子掲示板の実体は記憶領域であるから、上記の仕組みとして、特許文献１に記載のシステムを採用することが考えられる。しかし、このシステムでは、配布したパスワードが招待されていない人に漏れる虞があるため、招待されていない人からのアクセスを十分に高い精度で拒否することは困難である。
【０００４】
本発明は、上述した事情に鑑みてなされたものであり、サーバ装置の特定の記憶領域の管理者に招待された人が当該記憶領域にアクセスすることを確実に許可し、同管理者に招待されていない人が当該記憶領域にアクセスすることを十分に高い精度で拒否することができる通信システム、サーバ装置および玩具を提供することを解決課題とする。
【課題を解決するための手段】
【０００５】
本発明は、各々を一意に識別する識別情報が記録された複数の記録媒体と、各々を一意に識別する固有端末情報を記憶した複数の通信端末と、前記複数の通信端末と通信を行うと共に、前記複数の記録媒体にそれぞれ対応し、各々の管理権限が各々に対応する記録媒体の管理者に与えられる複数の個別領域となる記憶領域を有する記憶部を備えたサーバ装置とを備えた通信システムであって、前記通信端末は、前記複数の記録媒体のうち任意の一つから前記サーバ装置を特定する情報と前記識別情報とを読み取る読み取り部と、前記サーバ装置を特定する情報と前記識別情報とを含む要求を前記サーバ装置へ送信する送信部とを備え、前記サーバ装置は、前記記録媒体ごとに、その記録媒体の識別情報と、その記録媒体の管理者が使用者となっている前記通信端末に記憶された前記固有端末情報との組を格納する組格納部と、前記組に対応付けて、当該組に含まれる固有端末情報を記憶した前記通信端末の使用者のニックネームを登録する登録部と、前記複数の個別領域にそれぞれ対応し、対応する個別領域へのアクセスが許可された前記通信端末の使用者の前記ニックネームを要素とする複数の許可リストを格納する許可リスト格納部と、前記複数の通信端末のうち、前記固有端末情報が前記組格納部に格納されている一の通信端末から、他の通信端末が記憶した前記固有端末情報を含む前記組に含まれる前記識別情報を含む追加要求を受信すると、当該識別情報に対応する前記ニックネームを、一の通信端末に対応する前記個別領域に対応する前記許可リストに追加する追加部と、前記複数の通信端末のうち任意の一つの通信端末から、前記組格納部に格納された前記識別情報のうち、その通信端末が記憶した前記固有端末情報を含む前記組に含まれている識別情報とは異なる識別情報を含むアクセス要求を受信すると、受信したアクセス要求に含まれる識別情報を記録した前記記録媒体に対応する前記個別領域に対応する前記許可リストに、当該固有端末情報に対応する少なくとも一つの前記ニックネームが入っているか否かを判定して、その個別領域へのアクセスを制御するアクセス制御部とを備える、ことを特徴とする通信システムを提供する。
この通信システムでは、固有端末情報が組格納部に格納されている一の通信端末の使用者が管理権限を有する個別領域に、他の通信端末がアクセスしようとする場合、他の通信端末の使用者が管理者となっている情報記録媒体に記録された識別情報が一の通信端末に読み取られ、当該識別情報に対応するニックネームが、一の通信端末の使用者が管理権限を有する個別領域に対応する許可リストに保存され、これによって、他の通信端末の使用者による、一の通信端末の使用者が管理権限を有する個別領域へのアクセスが許可される。この通信システムでは、他の通信端末の使用者が管理者となっている記録媒体に記録された識別情報が第三者に漏洩しても、第三者は他の通信端末の固有端末情報を知ることができないから、第三者が、一の通信端末の使用者が管理権限を有する個別領域にアクセスすることはできない。よって、この通信システムによれば、サーバ装置の特定の記憶領域の管理者に招待された人が当該記憶領域にアクセスすることを確実に許可し、同管理者に招待されていない人が当該記憶領域にアクセスすることを十分に高い精度で拒否することができる。
【０００６】
また、本発明は、各々を一意に識別する固有端末情報を記憶した複数の通信端末であって、前記通信端末は、各々を一意に識別する識別情報が記録された複数の記録媒体のうち任意の一つの記録媒体から前記サーバ装置を特定する情報と前記識別情報とを読み取る読み取り部と、前記サーバ装置を特定する情報と前記識別情報とを含む要求を前記サーバ装置へ送信する送信部とを有する前記複数の通信端末と通信を行うと共に、前記複数の記録媒体にそれぞれ対応し、各々の管理権限が各々に対応する記録媒体の管理者に与えられる複数の個別領域となる記憶領域を有する記憶部を備えたサーバ装置であって、前記記録媒体ごとに、その記録媒体の識別情報と、その記録媒体の管理者が使用者となっている前記通信端末に記憶された前記固有端末情報との組を格納する組格納部と、前記組に対応付けて、当該組に含まれる固有端末情報を記憶した前記通信端末の使用者のニックネームを登録する登録部と、前記複数の個別領域にそれぞれ対応し、対応する個別領域へのアクセスが許可された前記通信端末の使用者の前記ニックネームを要素とする複数の許可リストを格納する許可リスト格納部と、前記複数の通信端末のうち、前記固有端末情報が前記組格納部に格納されている一の通信端末から、他の通信端末が記憶した前記固有端末情報を含む前記組に含まれる前記識別情報を含む追加要求を受信すると、当該識別情報に対応する前記ニックネームを、一の通信端末に対応する前記個別領域に対応する前記許可リストに追加する追加部と、前記複数の通信端末のうち任意の一つの通信端末から、前記組格納部に格納された前記識別情報のうち、その通信端末が記憶した前記固有端末情報を含む前記組に含まれている識別情報とは異なる識別情報を含むアクセス要求を受信すると、受信したアクセス要求に含まれる識別情報を記録した前記記録媒体に対応する前記個別領域に対応する前記許可リストに、当該固有端末情報に対応する少なくとも一つの前記ニックネームが入っているか否かを判定して、その個別領域へのアクセスを制御するアクセス制御部と、を備えることを特徴とするサーバ装置を提供する。
このサーバ装置を用いた通信システムによれば、サーバ装置の特定の記憶領域の管理者に招待された人が当該記憶領域にアクセスすることを確実に許可し、同管理者に招待されていない人が当該記憶領域にアクセスすることを十分に高い精度で拒否することができる。
【０００７】
上記サーバ装置において、前記個別領域は電子掲示板であり、前記アクセス制御部に制御されるアクセスは、前記電子掲示板の閲覧または前記電子掲示板への書き込みのためのアクセスである、ようにしてもよい。この態様は、ＳＮＳに好適である。
【０００８】
また、本発明は、各々を一意に識別する識別情報が記録された複数の記録媒体と、各々を一意に識別する固有端末情報を記憶した複数の通信端末と、前記複数の通信端末と通信を行うと共に、前記複数の記録媒体にそれぞれ対応し、各々の管理権限が各々に対応する記録媒体の管理者に与えられる複数の個別領域となる記憶領域を有する記憶部を備えたサーバ装置と備えたシステムであって、前記通信端末は、前記複数の記録媒体のうち任意の一つから前記サーバ装置を特定する情報と前記識別情報とを読み取る読み取り部と、前記サーバ装置を特定する情報と前記識別情報とを含む要求を前記サーバ装置へ送信する送信部とを備え、前記サーバ装置は、前記記録媒体ごとに、その記録媒体の識別情報と、その記録媒体の管理者が使用者となっている前記通信端末に記憶された前記固有端末情報との組を格納する組格納部と、前記組に対応付けて、当該組に含まれる固有端末情報を記憶した前記通信端末の使用者のニックネームを登録する登録部と、前記複数の個別領域にそれぞれ対応し、対応する個別領域へのアクセスが許可された前記通信端末の使用者の前記ニックネームを要素とする複数の許可リストを格納する許可リスト格納部と、前記複数の通信端末のうち、前記固有端末情報が前記組格納部に格納されている一の通信端末から、他の通信端末が記憶した前記固有端末情報を含む前記組に含まれる前記識別情報を含む追加要求を受信すると、当該識別情報に対応する前記ニックネームを、一の通信端末に対応する前記個別領域に対応する前記許可リストに追加する追加部と、前記複数の通信端末のうち任意の一つの通信端末から、前記組格納部に格納された前記識別情報のうち、その通信端末が記憶した前記固有端末情報を含む前記組に含まれている識別情報とは異なる識別情報を含むアクセス要求を受信すると、受信したアクセス要求に含まれる識別情報を記録した前記記録媒体に対応する前記個別領域に対応する前記許可リストに、当該固有端末情報に対応する少なくとも一つの前記ニックネームが入っているか否かを判定して、その個別領域へのアクセスを制御するアクセス制御部とを備える、ことを特徴とする通信システムにおける前記記録媒体と、前記通信端末に取り付けるための取り付け部と、を備える玩具を提供する。
この玩具を用いた通信システムによれば、サーバ装置の特定の記憶領域の管理者に招待された人が当該記憶領域にアクセスすることを確実に許可し、同管理者に招待されていない人が当該記憶領域にアクセスすることを十分に高い精度で拒否することができる。
【０００９】
この通信システムにおいて、前記通信端末は携帯電話機である、ようにしてもよいし、前記玩具が、前記識別情報を含む情報を表す二次元バーコードが印刷された被印刷部を有する、ようにしてもよい。前者の場合には、玩具は携帯電話機に取り付けてストラップとして使用されることが多くなるから、個別領域（例えば掲示板）に招待する側の人と招待される側の人とが対面する機会が増える。したがって、この通信システムを利用するきっかけが多くなるとともに、識別情報のやりとりは招待する側と招待される側とが対面して行われることが多くなる。よって、普及し易く、掲示板の非匿名性が高くなり易い。後者の場合には、例えばＱＲコードを読み取り可能な一般的な携帯電話機をそのまま用いることができるから、通信システムの構築が容易となる。
【発明の効果】
【００１０】
本発明によれば、サーバ装置の特定の記憶領域の管理者に招待された人が当該記憶領域にアクセスすることを確実に許可し、同管理者に招待されていない人が当該記憶領域にアクセスすることを十分に高い精度で拒否することができる。
【発明を実施するための最良の形態】
【００１１】
以下、図面を参照して、本発明の好適な実施の形態について説明する。以下に説明する具体的な構成は一例に過ぎず、本発明は、この具体的な構成を変形して得られる各種の形態をも範囲に含む。
【００１２】
＜１：構成＞
図１は、本発明の実施の形態に係る通信システム１０の構成を示すブロック図である。通信システム１０は、サーバ装置２、複数の通信端末４，４，…および複数のマスコット（玩具）５，５，…を有し、通信端末４の使用者が管理する掲示板（電子掲示板）へのアクセスをマスコット５で制御しようとするものである。
【００１３】
サーバ装置２は、コンピュータであり、終端ノードとしてインターネットワーク１に属する。インターネットワーク１は、具体的にはインターネットであり、複数の移動体通信ネットワーク３，３，…を相互接続して構成されている。通信端末４は、コンピュータであり、終端ノードとして、複数の移動体通信ネットワーク３，３，…のうちいずれか一つと、インターネットワーク１に属する。なお、「ネットワーク」とは、終端を有し、属する複数の終端ノード間でのデータの送受信を可能とするシステムである。また、「終端ノード」とは、ネットワークの終端として機能するノードである。
【００１４】
図２は、通信端末４およびマスコット５の外観を示す斜視図である。この図から明らかなように、本実施の形態では、通信端末４として携帯電話機を採用しており、マスコット５は携帯電話機のストラップとなっている。つまり、マスコット５は、玩具であり、その管理者が使用者となっている通信端末４に取り付けられて使用される。なお、マスコット５の管理者とは、マスコット５を購入した人であり、通信端末４の使用者とは、通信端末４を通常使用する人である。また、通信端末４の使用者は、複数のマスコット５の管理者となることができる。
【００１５】
マスコット５は、通信端末４に取り付けるための取り付け部５３を備える。取り付け部５３は金属製のリングであり、マスコット５は、このリングに通した紐または鎖によって通信端末４に結び付けられている。
【００１６】
マスコット５の表面の一部（記録媒体）５２は平坦になっており、この一部５２に、ＱＲコード５１が印刷されている。ＱＲコード５１が表す情報は、ＵＲＬ（Uniform Resource Locator）であり、マスコット５毎に異なる。ＱＲコード５１が表すＵＲＬの前段は、サーバ装置２を特定する文字列であり、後段は、複数のマスコット５の各々を一意に識別するマスコットＩＤ（以降、単に「ＩＤ」）である。つまり、一部５２は、ＩＤ（識別情報）を含む情報を表すＱＲコードが印刷された被印刷部（記録媒体）であり、マスコット５は、ＩＤを記録した記録媒体を備えた玩具として機能する。なお、ＵＲＬは一例に過ぎない。例えば、本実施の形態を変形し、ＱＲコード５１が、サーバ装置２の通信アドレス（例えばＩＰアドレス）を示す情報とＩＤを示す情報とを表すようにしてもよい。
【００１７】
図１および図２に示すように、通信端末４は、マスコット５からＱＲコード５１を読み取るためのカメラ４１を備えている。また、通信端末４は、ウェブブラウザとして機能し、ＱＲコード５１で表されるＵＲＬを用いてサーバ装置２と通信する。また、通信端末４には、電子メールアドレスが設定されている。つまり、通信端末４は、電子メールを送受信するメールクライアントとして機能し、これによってサーバ装置２と通信する。
【００１８】
一方、サーバ装置２は、ウェブサーバおよびメールクライアントとして機能し、これらによって、複数の通信端末４，４，…と通信する。ウェブサーバとしてのサーバ装置２には、複数の通信端末４，４，…の使用者の各々が管理権限を有する複数のウェブサイトＷ，２３１，…が開設される。これらのウェブサイトＷ，２３１，…は、それぞれ、一または複数の掲示板Ｋを備える。掲示板Ｋは、マスコット５毎に開設されるものであり、その管理権限は、対応するマスコット５の管理者に与えられる。なお、掲示板Ｋの最大容量は、例えば、１コメントあたり１００文字までで最大１０００コメントまでである。また、掲示板Ｋが閉鎖されるまでの期間は、例えば、その開設から６ヶ月である。
【００１９】
掲示板Ｋの実体は記憶領域である。したがって、サーバ装置２は、複数のマスコット５，５，…にそれぞれ対応し、各々の管理権限が各々に対応するマスコット５の管理者に与えられる複数の個別領域となる記憶領域を有することになる。掲示板ＫのＵＲＬは、その管理権限を有する人が管理者となっているマスコット５のＱＲコード５１で表されるＵＲＬと一致する。
【００２０】
図３は、通信端末４の構成を示すブロック図である。図２および図３から明らかなように、通信端末４は、一般的なカメラ付き携帯電話機と同様の構成を有する。具体的には、プログラムを実行するプロセッサ４７、撮像した画像を表す画像データをプロセッサ４７へ供給するカメラ４１、プロセッサ４７と外部の無線区間との間でデータを中継する無線通信インターフェイス４２、プロセッサ４７から供給された画像データを用いて画像を表示する表示部４３、プロセッサ４７からの音声データを用いてスピーカ４４１から音声を放出する発音部４４、マイクロフォン４５１からの音声データをプロセッサ４７へ供給する集音部４５、使用者に操作されて操作内容に応じた操作データをプロセッサ４７へ供給する操作部４６、およびプロセッサ４７に実行されるプログラムや複数の通信端末４を一意に識別する固有端末情報（例えば携帯電話番号）等の各種のデータを記憶する記憶部４８を有する。プロセッサ４７は、記憶部４８に記憶されたプログラムを読み出して実行することにより、後述の各種の処理を行う。なお、固有端末情報の記憶部４８への記憶は、書き換えが困難となるように行われている。
【００２１】
図４は、サーバ装置２の構成を示すブロック図である。この図に示すように、サーバ装置２は、プログラムを実行するプロセッサ２２と、プロセッサ２２と外部との間でデータを中継する通信インターフェイス２１と、プロセッサ２２に実行されるプログラムＰを記憶する記憶部２３を有する。プロセッサ２２は、記憶部２３に記憶されたプログラムＰを読み出して実行することにより、後述の各種の処理を行う。
【００２２】
記憶部２３の記憶領域は、記憶内容の保持に電源が必須の揮発性領域Ｒ１と、そうでない不揮発性領域Ｒ２とに分けられる。不揮発性領域Ｒ２は、記憶内容を書き換え不可能な書き換え不可能領域Ｒ２１と、記憶内容を書き換え可能な書き換え可能領域Ｒ２２とに分けられる。揮発性領域Ｒ１は例えばＲＡＭ（Random Access Memory）、書き換え不可能領域Ｒ２１は例えばＲＯＭ（Read Only Memory）、書き換え可能領域Ｒ２２は例えばハードディスクの記憶領域である。
【００２３】
揮発性領域Ｒ１は、一時的なデータの保存に用いられる。書き換え不可能領域Ｒ２１には、ＩＰＬ（Initial Program Loader）等の基本ソフトウェアが書き込まれている。書き換え可能領域Ｒ２２には、予めプログラムＰが書き込まれる他に、登録テーブルＴおよび複数のウェブサイトＷが互いに重ならないように確保される。つまり、書き換え可能領域Ｒ２２は、複数の個別領域となる記憶領域に相当する。
【００２４】
登録テーブルＴには、マスコット５ごとに、登録済のマスコット５のＩＤと、そのマスコット５の管理者が使用者となっている通信端末４の固有端末情報とが紐付けて格納される。つまり、登録テーブルＴは、記録媒体ごとに、その記録媒体の識別情報と、その記録媒体の管理者が使用者となっている通信端末に記憶された固有端末情報との組を格納する組格納部として機能する。一つの通信端末４に対応するウェブサイトＷは、その通信端末４の固有端末情報が登録テーブルＴに最初に格納されたときにのみ、すなわち当該通信端末４が登録されたときにのみ、確保される。通信端末４が登録される契機については、後述する。
【００２５】
図５は、ウェブサイトＷのサイトマップである。この図に示すように、ウェブサイトＷの階層構成は、トップページＴＰの下に、一または複数のメインページＭＰが並列に位置し、各メインページＭＰの下に、掲示板管理者ページＫＣ、フレンドリストＦＬ、掲示板リストＫＬおよびマイプロフィールＰＲが並列に位置し、各掲示板管理者ページＫＣの下に掲示板Ｋが位置する構成となっている。
【００２６】
フレンドリストＦＬは、これに対応する掲示板Ｋへのアクセスが許可された通信端末４の固有端末情報を特定するデータを要素とするリストである。つまり、記憶部２３は、複数の個別領域にそれぞれ対応し、対応する個別領域へのアクセスが許可された通信端末に記憶された固有端末情報を特定する許可データを要素とする複数の許可リストを格納する許可リスト格納部として機能する。
【００２７】
掲示板リストＫＬは、これに対応する掲示板Ｋに対応する識別情報を含む組に含まれている固有端末情報を記憶した通信端末４に対してアクセスが許可された掲示板Ｋを特定するデータを要素とするリストである。つまり、記憶部２３は、複数の個別領域にそれぞれ対応し、複数の個別領域のうち、対応する個別領域に対応する固有端末情報を記憶した通信端末に対してアクセスが許可された個別領域（識別情報）を特定するアクセス先データを要素とする複数のアクセス先リストを格納するアクセス先リスト格納部として機能する。
【００２８】
トップページＴＰは、その直下に位置するメインページＭＰへのリンク（ＵＲＬおよびメインページ名称）が埋め込まれるページである。例えば、トップページＴＰの直下に三つのメインページＭＰが並列に位置する場合には、そのトップページＴＰには、三つのリンクが埋め込まれる。トップページＴＰ以下の部分がウェブサイトＷに相当する。
【００２９】
メインページＭＰは、その下に位置する一つの掲示板Ｋを管理者に管理させるためのページである。メインページＭＰには、管理の種類毎に、リンクが埋め込まれている。具体的には、メインページＭＰには、その直下の掲示板管理者ページＫＣ、フレンドリストＦＬ、掲示板リストＫＬおよびマイプロフィールＰＲの各々へのリンクが埋め込まれている。一つのメインページＭＰ以下の部分は、対応するマスコット５のＩＤが登録テーブルＴに格納されたときにのみ、すなわちマスコット５が登録されたときにのみ、確保される。マスコット５が登録される契機については、後述する。
【００３０】
掲示板管理者ページＫＣは、その直下に位置する一つの掲示板Ｋの書誌情報（例えば、その掲示板Ｋの名称や、その掲示板Ｋに書き込まれたコメントの数）を表示するためのページである。また、掲示板管理者ページＫＣには、その直下の掲示板Ｋへのリンクが埋め込まれている。
【００３１】
＜２：動作＞
以降、図６〜図１７を参照して、通信システム１０の動作について説明する。図６〜図８は、通信システム１０の動作例を示すシーケンス図である。図９は、サーバ装置２のプロセッサ２２が行う要求対応処理の流れを示すフローチャートであり、図１０〜図１７は、通信端末４の表示部４３に表示される画面例を示す図である。以降の説明では、図６、図７、図８の順に、動作が進むものとする。なお、登録済の通信端末４は未だ存在しないものとする。
【００３２】
＜２−１：第１登録＞
図６に示すように、まず、花子さんが、使用している通信端末４（固有端末情報＝「Ａ」）を操作し、この通信端末４に、この通信端末４に取り付けられたマスコット５（ＩＤ＝「α」）からＱＲコードを読み取らせる（Ｓ１）。この作業では、花子さんは、通信端末４に、マスコット５の表面の一部５２を撮像させる。これにより、通信端末４は、撮像により得られた画像データを用いて、ＱＲコードを認識し、ＱＲコードで表されているＵＲＬを抽出し、抽出したＵＲＬのウェブサイトへのアクセスの可否を問う画面を表示させる。つまり、通信端末４のプロセッサ４７とカメラ４１は、複数の記録媒体（マスコット５）のうち任意の一つから識別情報（ＩＤ）を読み取る読み取り部として機能する。
【００３３】
この画面に対し、花子さんは、通信端末４を操作し、抽出したＵＲＬのウェブサイトへのアクセスを許可する。これにより、通信端末４は、抽出したＵＲＬ（ＩＤ＝「α」）と固有端末情報「Ａ」を含む登録要求を送信する（Ｓ２）。つまり、通信端末４のプロセッサ４７と無線通信インターフェイス４２は、読み取り部に読み取られた識別情報を含む要求を送信する送信部として機能する。抽出したＵＲＬの前段は、サーバ装置２を特定する文字列であるから、この登録要求はサーバ装置２に受信される。この受信を契機として、サーバ装置２のプロセッサ２２は、要求対応処理を行う（Ｓ３）。
【００３４】
図９に示すように、要求対応処理では、プロセッサ２２は、まず、登録テーブルＴを参照して、受信した登録要求中の固有端末情報の通信端末４が登録済の通信端末であるか否かを判定する（Ｆ１）。ここでは、この固有端末情報が登録テーブルＴに格納されていないから、この判定結果が「ＮＯ」となる。次に、プロセッサ２２は、登録テーブルＴを参照して、受信した登録要求中のＩＤのマスコット５が登録済であるか否かを判定する（Ｆ２）。ここでは、このＩＤが登録テーブルＴに格納されていないから、この判定結果が「ＮＯ」となる。
【００３５】
次に、プロセッサ２２は、当該通信端末４および当該マスコット５を登録するための第１登録処理を行う（Ｆ３）。第１登録処理では、プロセッサ２２は、図６に示すように、当該通信端末４と通信し、利用規約への同意を確認する画面（図１０）を当該通信端末４に表示させ、同意が得られた場合には、当該通信端末４の固有端末情報と当該マスコット５のＩＤとを紐付けて登録テーブルＴに格納することによって当該通信端末４および当該マスコット５を登録する一方、この通信端末４に対応するウェブサイトＷを確保する。
【００３６】
このウェブサイトＷのＵＲＬ（具体的には、このウェブサイトＷのトップページＴＰのＵＲＬ）は、受信した登録要求中のＵＲＬと一致する。このウェブサイトＷでは、トップページＴＰの直下に一つのメインページＭＰが位置し、このメインページＭＰの直下に掲示板管理者ページＫＣ、フレンドリストＦＬ、掲示板リストＫＬおよびマイプロフィールＰＲが位置し、この掲示板管理者ページＫＣの直下に掲示板Ｋが位置している。このメインページＭＰ以下の部分が、このマスコット５に対応して確保された領域である。なお、このウェブサイトＷのトップページＴＰには、このメインページＭＰへのリンクが埋め込まれている。
【００３７】
次に、プロセッサ２２は、当該通信端末４と通信し、当該通信端末４の電子メールアドレスをサーバ装置２に知らせるための電子メールを当該通信端末４に作成させる（図１１）。この電子メールの宛先アドレスはサーバ装置２の電子メールアドレスであり、その本文には、サーバ装置２において当該通信端末４を一意に識別可能な文字列と、当該電子メールの送信を促す文字列が記載されている。
【００３８】
ここでは、花子さんは、利用規約に同意し、作成された電子メールを送信するように当該通信端末４を操作する。これにより、この電子メールがサーバ装置２に受信される。サーバ装置２のプロセッサ２２は、この電子メールの送信元アドレスを、当該通信端末４の電子メールアドレスとして書き換え可能領域Ｒ２２に書き込む。次に、プロセッサ２２は、当該通信端末４の使用者のプロフィールおよび当該掲示板Ｋに係る掲示板情報（掲示板名称）を登録するためのＵＲＬを記載した電子メールを、当該通信端末４へ送信する。この電子メールは、花子さんの通信端末４に受信される。
【００３９】
ここでは、花子さんが当該通信端末４を操作し、受信した電子メールを開き（図１２）、この電子メールに記載されているＵＲＬを含む要求を送信する。この要求はサーバ装置２に受信される。この受信を契機として、サーバ装置２のプロセッサ２２は、花子さんの通信端末４と通信し、この通信端末４に入力画面を表示させ（図１３）、花子さんのプロフィールおよび当該掲示板Ｋの名称の入力を促す。本実施の形態で入力可能なプロフィールはニックネームのみであるが、これを変形し、性別、生年月日、血液型等の他のプロフィールをも入力可能な形態としてもよい。また、本実施の形態で入力可能な掲示板情報は掲示板名称のみであるが、これを変形し、掲示板Ｋの概要等の他の情報をも入力可能な形態としてもよい。
【００４０】
上記の入力が完了すると、プロセッサ２２は、入力されたプロフィールを、この第１登録処理において確保したマイプロフィールＰＲに書き込んで登録する一方、入力された掲示板情報を、当該掲示板Ｋに対応付けて登録する。次に、プロセッサ２２は、当該通信端末４および当該マスコット５の登録が完了したことを通知する電子メールを作成し、花子さんの通信端末４へ送信する。なお、本実施の形態では、複数の使用者が同一のニックネームを用いることは許されておらず、登録済の他人のニックネームと重複するニックネームが入力された場合には、他のニックネームの入力が促される。
【００４１】
以上で、花子さんの通信端末４からの登録要求に対する要求対応処理（第１登録処理）が終了する。なお、登録が完了したことを通知する電子メールには、登録済のニックネームと、花子さんのマスコット５に対応するメインページＭＰのＵＲＬが記載されている。したがって、以降、花子さんは、ＱＲコードの読み取りを行うことなく、花子さんのウェブサイトＷにアクセスすることができる。
【００４２】
図６に示すように、次に、太郎さんの通信端末４（固有端末情報＝「Ｂ」）および太郎さんのマスコット５（ＩＤ＝「β」）について、上述と同様の処理が行われる（Ｓ４〜Ｓ６）。次に、一郎さんの通信端末４（固有端末情報＝「Ｃ」）および太郎さんのマスコット５（ＩＤ＝「γ」）について、上述と同様の処理が行われる（Ｓ７〜Ｓ９）。この結果、登録テーブルＴには、互いに紐付けられた固有端末情報とＩＤとの組が３つ格納される。
【００４３】
以上の説明から明らかなように、プロセッサ２２は、複数の通信端末のうち組格納部（登録テーブルＴ）に格納されていない固有端末情報を記憶した一つの通信端末から、複数の記録媒体（マスコット５）の識別情報のうち組格納部に格納されていない一つの識別情報を含む登録要求を受信すると、その固有端末情報とその識別情報との組を組格納部に格納させる登録部として機能する。
【００４４】
また、以上の説明から明らかなように、プロセッサ２２は、登録部として、登録要求を受信すると、その登録要求に含まれている識別情報が記録された記録媒体（マスコット５）に対応する個別領域（掲示板Ｋ）を記憶領域（書き換え可能領域Ｒ２２）に確保する。なお、本実施の形態を変形し、複数の記録媒体について、個別領域を予め確保しておく形態としてもよい。
【００４５】
また、以上の説明から明らかなように、プロセッサ２２は、登録部として、登録要求を受信すると、その登録要求を送信した通信端末の使用者に入力された文字列データ（ニックネーム）を、その通信端末の固有端末情報とその登録要求に含まれている識別情報との組に対応付けて記憶する。文字列データは、フレンドリストＦＬや掲示板リストＫＬからの削除や掲示板リストＫＬへの書き込みで使用されるが、フレンドリストＦＬや掲示板リストＫＬからの削除を行わないように本実施の形態を変形する場合には、文字列データの入力および記憶を行わないようにしてもよい。なお、本実施の形態を変形し、文字列データに代えて、顔写真などの画像データを用いる形態としてもよいし、文字列データと画像データとを併用する形態としてもよい。
【００４６】
＜２−２：管理＞
図７に示すように、次に、花子さんが、その通信端末４（固有端末情報＝「Ａ」）を操作することにより、当該通信端末４から、その固有端末情報と、花子さんのマスコット５に対応するメインページＭＰのＵＲＬ（ＩＤ＝「α」）とを含むアクセス要求が送信される（Ｓ１０）。このアクセス要求を受信したサーバ装置２では、その受信を契機として、そのプロセッサ２２が、要求対応処理を行う（Ｓ１１）。
【００４７】
この要求対応処理では、図９のＦ１の判定結果が「ＹＥＳ」となるから、プロセッサ２２は、登録テーブルＴを参照して、受信したアクセス要求の送信元の通信端末４と、受信したアクセス要求中のＵＲＬに対応するマスコット５とが合致しているか否かを判定する（Ｆ４）。具体的には、受信したアクセス要求中の固有端末情報と受信したアクセス要求中のＵＲＬに含まれているＩＤとが紐付けられているか否かを判定する。ここでは、この判定結果が「ＹＥＳ」となる。
【００４８】
次に、プロセッサ２２は、一つの掲示板Ｋを管理者に管理させるための管理処理を行う（Ｆ５）。具体的には、まず、受信したアクセス要求中の固有端末情報の通信端末４と通信し、この通信端末４に、受信したアクセス要求中のＵＲＬのメインページＭＰを表示させる。ここでは、花子さんの通信端末４に、花子さんのマスコット５に対応するメインページＭＰが表示される。その一例を図１５に示す。この例では、メインページ名称が「第１メインページ」のメインページＭＰが表示される。したがって、花子さんは、その通信端末４を操作することにより、その掲示板Ｋについて、各種の管理を行うことができる。
【００４９】
例えば、花子さんは、その通信端末４を操作し、表示されたメインページＭＰに埋め込まれたフレンドリストＦＬへのリンクを用いて、当該フレンドリストＦＬを表示するための許可用表示データの返信を要求する許可用表示データ要求をサーバ装置２へ送信することができる。サーバ装置２のプロセッサ２２は、この許可用表示データ要求を受信すると、当該フレンドリストＦＬ内のデータ（具体的にはニックネーム）を用いて許可用表示データを生成し、花子さんの通信端末４へ送信する。また例えば、花子さんは、その通信端末４を操作し、表示されたメインページＭＰに埋め込まれた掲示板リストＫＬへのリンクを用いて、掲示板リストＫＬを表示するためのアクセス先用表示データの返信を要求するアクセス先用表示データ要求をサーバ装置２へ送信することができる。サーバ装置２のプロセッサ２２は、このアクセス先用表示データ要求を受信すると、当該掲示板リストＫＬ内のデータ（具体的には掲示板名称）を用いてアクセス先用表示データを生成し、花子さんの通信端末４へ送信する。以上のことは、太郎さん及び一郎さんにも、同様にあてはまる。
【００５０】
＜２−３：追加＞
次に、花子さんがそのウェブサイトＷの掲示板Ｋに太郎さんを招待する。
具体的には、まず、花子さんがその通信端末４（固有端末情報＝「Ａ」）を操作し、太郎さんのマスコット５からＱＲコードを読み取らせる（Ｓ１２）。この作業が図６のＳ１の作業と異なる点は、マスコット５が花子さんのものではなく太郎さんのものである点のみである。続く追加要求の送信作業（Ｓ１３）も、要求中のＵＲＬに含まれているＩＤが「α」でなく「β」である点を除いてＳ２の作業と同様である。
【００５１】
この追加要求の受信を契機として、サーバ装置２のプロセッサ２２は、要求対応処理を行う（Ｓ１４）。この要求対応処理では、図９のＦ１の判定結果が「ＹＥＳ」となり、Ｆ４の判定結果が「ＮＯ」となるから、プロセッサ２２は、登録テーブルＴを参照して、受信した追加要求中のＩＤのマスコット５が登録済であるか否かを判定する（Ｆ１０）。ここでは、このＩＤが登録テーブルＴに格納されているから、この判定結果が「ＹＥＳ」となる。
【００５２】
次にプロセッサ２２は、当該通信端末４の使用者が当該ＩＤに対応する掲示板Ｋに参加可能か否かを判定する（Ｆ６）。つまり、受信した要求が、他人の掲示板Ｋへの参加を要求する参加要求であるか否かを判定する。具体的には、当該通信端末４の固有端末情報に対応するウェブサイトＷ内の少なくとも一つのプロフィール（ニックネーム）が、当該ＩＤに対応するフレンドリストＦＬに入っているか否かを判定する。
【００５３】
ここでは、該当するフレンドリストＦＬが空であるから、Ｆ６の判定結果は「ＮＯ」となる。したがって、プロセッサ２２は、当該要求は追加要求であるとみなし、当該ＩＤのマスコット５の管理者（ここでは太郎さん）を、当該通信端末４の使用者（ここでは花子さん）のウェブサイトＷ内のフレンドリストＦＬに追加する追加処理を行う（Ｆ７）。
【００５４】
具体的には、プロセッサ２２は、まず、花子さんの通信端末４と通信し、花子さんのウェブサイトＷ内のどのフレンドリストＦＬを追加対象とするかを確認する（Ｆ７１）。次に、プロセッサ２２は、追加対象のフレンドリストＦＬに、太郎さんのプロフィール（ニックネーム）を追加する（Ｆ７２）。次に、プロセッサ２２は、当該ＩＤに対応する掲示板リストＫＬに、追加対象のフレンドリストＦＬに対応する掲示板Ｋへのリンク（ＵＲＬおよび掲示板名称）を追加する（Ｆ７３）。
【００５５】
この結果、当該ＩＤに対応付けて登録済のニックネームを「太郎」、追加対象のフレンドリストＦＬに対応する掲示板Ｋの名称を「第１掲示板」とすると、花子さんのウェブサイトＷ内の一つのフレンドリストＦＬ（追加対象のフレンドリストＦＬ）には、ニックネーム「太郎」が追加される一方（図１６）、太郎さんのウェブサイトＷ内の一つの掲示板リストＫＬ（当該ＩＤに対応する掲示板リストＫＬ）には、掲示板名称「第１掲示板」を表すリンクが追加される（図１７）。このリンクは、太郎さんが、そのウェブサイトＷを管理する操作を行うことにより、使用可能である。
【００５６】
以上の説明から明らかなように、プロセッサ２２は、複数の通信端末のうち、固有端末情報が組格納部（登録テーブルＴ）に格納されている一の通信端末から、他の通信端末が記憶した固有端末情報を含む組に含まれる識別情報を含む追加要求を受信すると、他の通信端末の固有端末情報を特定する許可データを、一の通信端末に対応する個別領域（掲示板Ｋ）に対応する許可リスト（フレンドリストＦＬ）に追加する追加部として機能する。
【００５７】
また、以上の説明から明らかなように、プロセッサ２２は、追加部として、追加要求を受信すると、その追加要求を送信した通信端末が記憶した固有端末情報を含む組に含まれている識別情報を特定するアクセス先データを、その追加要求に含まれている識別情報が記録された記録媒体（マスコット５）に対応する個別領域（掲示板Ｋ）に対応するアクセス先リストに追加する。
【００５８】
また、以上の説明から明らかなように、許可データは、その許可データで特定される固有端末情報を含む組に対応する文字列データ（ニックネーム）を含み、アクセス先データは、そのアクセス先データで特定される識別情報を含む組に対応する文字列データ（掲示板名称）を含む。なお、本実施の形態を変形し、許可データに、文字列データそのものではなく、文字列データを特定するデータ（許可用個人特定データ）を含ませるようにしてもよいし、アクセス先データに、文字列データそのものではなく、文字列データを特定するデータ（アクセス先用領域特定データ）を含ませるようにしてもよい。なお、文字列データそのものは、文字列データを特定するデータの一種である。
【００５９】
また、以上の説明から明らかなように、プロセッサ２２は、複数の通信端末のうち任意の一つの通信端末から、その通信端末の固有端末情報を含む組に含まれている識別情報が記録された一つの記録媒体（マスコット５）に対応する個別領域（掲示板Ｋ）に対応する許可リストを表示するための許可用表示データの返信を要求する許可用表示データ要求を受信すると、その許可リスト内の許可用個人特定データを用いて許可用表示データを生成し、その通信端末へ送信する許可用表示データ送信部として機能する。
【００６０】
また、以上の説明から明らかなように、プロセッサ２２は、複数の通信端末のうち任意の一つの通信端末から、その通信端末の固有端末情報を含む組に含まれている識別情報が記録された記録媒体（マスコット５）に対応する個別領域（掲示板Ｋ）に対応するアクセス先リストを表示するためのアクセス先用表示データの返信を要求するアクセス先用表示データ要求を受信すると、そのアクセス先リスト内のアクセス先データを用いてアクセス先用表示データを生成し、その通信端末へ送信するアクセス先用表示データ送信部として機能する。
【００６１】
＜２−４：参加＞
図７に示すように、次に、太郎さんが、その通信端末４（固有端末情報＝「Ｂ」）を操作することにより、当該通信端末４から、その固有端末情報と、太郎さんのマスコット５に対応するウェブサイトＷのＵＲＬ（ＩＤ＝「β」）とを含むアクセス要求が送信される（Ｓ１５）。このアクセス要求を受信したサーバ装置２では、その受信を契機として、そのプロセッサ２２が、要求対応処理を行う（Ｓ１４）。
【００６２】
この要求対応処理では、図９のＦ１の判定結果が「ＹＥＳ」となり、Ｆ４の判定結果が「ＹＥＳ」となるから、プロセッサ２２は、前述の管理処理を行う（Ｆ５）。この管理処理において、太郎さんが、そのウェブサイトＷ内の掲示板リストＫＬ内のリンク「第１掲示板」を押したとする。すると、サーバ装置２から太郎さんの通信端末４へ、当該リンクのＵＲＬ（ＩＤ＝「α」）が渡され、このＵＲＬと太郎さんの通信端末４の固有端末情報（「Ｂ」）とを含むアクセス要求がサーバ装置２へ送信される（Ｓ１７）。
【００６３】
サーバ装置２のプロセッサ２２は、このアクセス要求の受信を契機として、要求対応処理を行う（Ｓ１８）。この要求対応処理では、図９のＦ１の判定結果は「ＹＥＳ」となり、Ｆ４の判定結果は「ＮＯ」となり、Ｆ６の判定結果は「ＹＥＳ」となる。したがって、サーバ装置２のプロセッサ２２は、このアクセス要求に含まれている固有端末情報の通信端末４の使用者（ここでは太郎さん）を、このアクセス要求に含まれているＩＤに対応する掲示板Ｋ（ここでは第１掲示板）に参加させる参加処理を行う（Ｆ８）。この参加処理では、太郎さんは、第１掲示板の閲覧と、第１掲示板への書き込みを行うことができる。
【００６４】
なお、上記の例では、太郎さんが、そのウェブサイトＷ内のリンクを利用して第１掲示板に参加しているが、太郎さんは、花子さんから、第１掲示板のＵＲＬ、すなわち第１計掲示板に対応するマスコット５のＩＤを取得することによっても、第１掲示板に参加可能である。太郎さんが花子さんのマスコット５のＩＤを取得する方法としては、花子さんの通信端末４から太郎さんの通信端末４へ電子メールを用いて送信してもらう方法と、花子さんのマスコット５からＱＲコード５１を太郎さんの通信端末４で読み取る方法とが挙げられる。
【００６５】
＜２−５：削除＞
本実施の形態では、フレンドリストＦＬから人を削除することも可能である。ここでは、花子さんが、第１掲示板に対応するフレンドリストＦＬから太郎さんを削除する例について説明する。この作業では、まず、図８に示すように、花子さんが、その通信端末４（固有端末情報＝「Ａ」）を操作し、当該通信端末４から、その固有端末情報と、第１掲示板に対応するＵＲＬ（ＩＤ＝「α」）とを含むアクセス要求を送信させる（Ｓ１９）。このアクセス要求を受信したサーバ装置２では、要求対応処理（管理処理）が行われる（Ｓ２０）。
【００６６】
この管理処理において、花子さんは、その通信端末４を操作し、当該通信端末４に図１６の画面を表示させる。この画面は、第１掲示板の管理画面である。次に、花子さんは、太郎さんのニックネーム「太郎」に対応する削除ボタンを押すように、その通信端末４を操作する。これにより、サーバ装置２のプロセッサ２２は、第１掲示板に対応するフレンドリストＦＬから太郎さんのプロフィールを削除する一方、太郎さんのウェブサイトＷ内の掲示板リストＫＬから第１掲示板へのリンクを削除する。以降、太郎さんは、リンクを用いて第１掲示板に参加することができなくなる。
【００６７】
また、上述したように、第１掲示板に対応するフレンドリストＦＬに人を追加する作業は花子さんの通信端末４を用いて行う必要があるから（太郎さんが花子さんに再び招待される必要があるから）、第１掲示板に対応するフレンドリストＦＬから削除された太郎さんが第１掲示板のＵＲＬを取得したとしても、太郎さんにできるのは、太郎さんのウェブサイトＷの掲示板Ｋに花子さんを招待することだけである。そして、この招待によって花子さんのウェブサイトＷ内の掲示板リストＫＬに太郎さんのウェブサイトＷ内の掲示板Ｋへのリンクが追加されても、このリンクを使用するか否かは花子さんの自由であるから、花子さんは、招待していない人（ここでは太郎さん）と第１掲示板で対話せずに済む。
【００６８】
以上の説明から明らかなように、プロセッサ２２は、複数の通信端末のうち、ある許可データを含む許可リスト（フレンドリストＦＬ）に対応する個別領域（掲示板Ｋ）に対応する記録媒体（マスコット５）に記録された識別情報を含む組に含まれる固有端末情報を記憶した通信端末から、その許可データのその許可リストからの削除を要求する許可データ削除要求を受信すると、その許可データをその許可リストから削除する許可データ削除部として機能する。
【００６９】
以上の説明から明らかなように、プロセッサ２２は、許可データが削除されると、その許可データで特定される固有端末情報を含む組に含まれている識別情報に対応する個別領域（掲示板Ｋ）に対応するアクセス先リスト（掲示板リストＫＬ）から、その許可データを含む許可リストに対応する個別領域（掲示板Ｋ）に対応する識別情報を特定するアクセス先データを削除するアクセス先データ連動削除部として機能する。
【００７０】
＜２−６：第２登録＞
次に、図８に示すように、花子さんが、使用している通信端末４（固有端末情報＝「Ａ」）を操作し、この通信端末４に、花子さんが管理者となっているマスコット５（ＩＤ＝「δ」）からＱＲコードを読み取らせ（Ｓ２１）、これによって抽出されたＵＲＬ（ＩＤ＝「δ」）と固有端末情報「Ａ」を含む登録要求を送信したとする（Ｓ２２）。この登録要求はサーバ装置２に受信される。この受信を契機として、サーバ装置２のプロセッサ２２は、要求対応処理を行う（Ｓ２３）。
【００７１】
この要求対応処理では、図９のＦ１の判定結果が「ＹＥＳ」となり、Ｆ４の判定結果が「ＮＯ」となり、Ｆ１０の判定結果が「ＮＯ」となるから、プロセッサ２２は、当該マスコット５を登録するための第２登録処理を行う（Ｆ１１）。第２登録処理の大部分は、前述の第１登録処理と同様である。第２登録処理が第１登録処理と異なる点は、固有端末情報とＩＤとを紐付けて登録テーブルＴに格納することが通信端末４の登録に繋がらない点と、ウェブサイトＷを新たに確保しない点である。つまり、第２登録処理では、未登録のマスコット５（ＩＤ＝「δ」）のみが登録され、既存のウェブサイトＷ内に当該マスコット５に対応する領域（メインページＭＰ以下の部分）が追加され、このウェブサイトＷのトップページＴＰに、このメインページＭＰへのリンクが埋め込まれる。
【００７２】
登録が完了したときにサーバ装置２から当該通信端末４へ送信される電子メールには、この第２登録処理において登録されたニックネームと、ＩＤが「δ」のマスコット５に対応するメインページＭＰのＵＲＬが記載されている。なお、本実施の形態では、ＩＤが「α」のマスコット５に対応するニックネームと、ＩＤが「δ」のマスコット５に対応するニックネームは、重複が許されている。一方、複数の使用者が同一の掲示板名称を用いることは許されているが、同一の使用者がその複数の掲示板について同一の掲示板名称を用いることは許されていない。
【００７３】
＜２−７：他の場合＞
次に、図８に示すように、未登録の通信端末４（固有端末情報＝「Ｄ」）から、当該固有端末情報と、花子さんのマスコット５（ＩＤ＝「α」）に対応するＵＲＬとを含む登録要求が送信されたとする（Ｓ２４）。このようなケースとしては、例えば、花子さんが登録済のマスコット５（ＩＤ＝「α」）を紛失し、これを拾った秀喜さんが、これを用いて登録を行おうとしたケースが考えられる。この場合、サーバ装置２での要求対応処理では、図９のＦ１の判定結果が「ＮＯ」となり、Ｆ２の判定結果が「ＹＥＳ」となるため、エラー処理が行われる（Ｆ９，Ｓ２５）。つまり、プロセッサ２２は、固有端末情報とＩＤとの組み合わせが不適切であるとして、処理を終了する。
【００７４】
以上の説明から明らかなように、プロセッサ２２は、複数の通信端末のうち任意の一つの通信端末から、組格納部（登録テーブルＴ）に格納された識別情報のうち、その通信端末が記憶した固有端末情報を含む組に含まれている識別情報とは異なる識別情報を含むアクセス要求を受信すると、受信したアクセス要求に含まれる識別情報が記録された記録媒体（マスコット５）に対応する個別領域（掲示板Ｋ）に対応する許可リスト（フレンドリストＦＬ）を参照して、その個別領域へのアクセスを制御するアクセス制御部として機能する。なお、本実施の形態においては、掲示板Ｋの閲覧または電子掲示板への書き込みのためのアクセスをアクセス制御部の制御対象としているが、これを変形し、掲示板Ｋ以外の個別領域へのアクセスをアクセス制御部の制御対象としてもよい。
【００７５】
＜３：まとめ＞
以上説明したように、上述した通信システム１０では、通信端末４が、マスコット５からそのＩＤを含むＵＲＬを読み取ることが可能であり、サーバ装置２が、通信端末４に固有の固有端末情報とその使用者のマスコット５のＩＤとを紐付け、一の通信端末４から、当該通信端末４の固有端末情報に対応付けられていないＩＤを含むＵＲＬを受信すると、このＩＤに紐付けられた固有端末情報とを特定する情報を、一の通信端末４に対応するウェブサイトＷ内の一つの掲示板Ｋに対応するフレンドリストＦＬに追加し、当該フレンドリストＦＬを参照して当該掲示板Ｋへのアクセスを制御するから、掲示板Ｋの管理者に招待された人が当該掲示板Ｋにアクセスすることを確実に許可し、同管理者に招待されていない人が当該掲示板Ｋにアクセスすることを十分に高い精度で拒否することができる。
【００７６】
＜４：変形＞
上述した実施の形態では、フレンドリストＦＬからの削除が行われると、これに連動して、掲示板リストＫＬからの削除が行われるが、これを変形し、フレンドリストＦＬからの削除が行われても、掲示板リストＫＬからの削除が行われない形態としてもよい。また、フレンドリストＦＬからの削除を不可能とした形態としてもよい。
【００７７】
上述した実施の形態では、掲示板リストＫＬからの削除はフレンドリストＦＬからの削除に連動したものに限られるが、これを変形し、フレンドリストＦＬからの削除を経ずとも掲示板リストＫＬからの削除を可能とした形態としてもよい。つまり、プロセッサ２２を、複数の通信端末のうち、あるアクセス先データを含むアクセス先リストに対応する個別領域に対応する記録媒体（マスコット５）に記録された識別情報を含む組に含まれる固有端末情報を記憶した通信端末から、そのアクセス先データのそのアクセス先リストからの削除を要求するアクセス先データ削除要求を受信すると、そのアクセス先データをそのアクセス先リストから削除するアクセス先データ削除部として機能させてもよい。さらに、プロセッサ２２を、アクセス先データが削除されると、そのアクセス先データで特定される識別情報に対応する個別領域（掲示板Ｋ）に対応する許可リストから、そのアクセス先データを含むアクセス先リストに対応する個別領域（掲示板Ｋ）に対応する記録媒体（マスコット５）に記録された識別情報を含む組に含まれている固有端末情報を特定する許可データを削除する許可データ連動削除部として機能させてもよい。
【００７８】
また、掲示板リストＫＬからの削除とフレンドリストＦＬからの削除とを連動させない形態においては、プロセッサ２２を、許可データが削除されると、その許可データで特定される固有端末情報を含む組に含まれている識別情報に対応する個別領域（掲示板Ｋ）に対応するアクセス先リスト内の、その許可データを含む許可リストに対応する個別領域（掲示板Ｋ）に対応する記録媒体（マスコット５）に記録された識別情報を特定するアクセス先データに対応付けて、第１特定データを記憶する削除反映部として機能させてもよいし、アクセス先データが削除されると、そのアクセス先データで特定される識別情報に対応する個別領域（掲示板Ｋ）に対応する許可リスト内の、そのアクセス先データを含むアクセス先リストに対応する個別領域（掲示板Ｋ）に対応する記録媒体（マスコット５）に記録された識別情報を特定する許可データに対応付けて、第２特定データを記憶する削除反映部として機能させてもよい。これらの形態では、掲示板リストＫＬの表示画面においては第１特定データの有無に応じて掲示板名称の表示形態を、フレンドリストＦＬの表示画面においては第２特定データの有無に応じてニックネームの表示形態を変更することが可能となる。
【００７９】
上述した実施の形態では、ＱＲコード５１が印刷されたマスコット５を用いているが、これに限るものではない。例えば、ＱＲコード５１に代えて、他の二次元コードや、一次元のバーコードを用いてもよいし、磁気的または電気的にデータを記憶するメモリ（記録媒体）を備えたマスコットを用いてもよい。このメモリとしては、フレキシブルディスク等の磁気メモリや、不揮発性の半導体メモリを例示可能である。また、取り付け部５３は、環状の部材または輪になる部材でなくてもよい。例えば、通信端末４または通信端末４に取り付けられた部材と螺合または嵌合する部材であってもよい。また、上述した実施の形態を変形し、マスコット５に、複数の操作ボタンおよびスピーカを設け、操作ボタンの操作に応じた音声を出力する形態としてもよい。
【００８０】
また、上述した実施の形態では、玩具としてマスコット５を用いているが、これを変形し、ＩＤ（識別情報）を記録した記録媒体と、通信端末４に取り付けるための取り付け部とを備えた任意の物品を用いるようにしてもよい。この物品は、マスコットとして使うことが困難な物であってもよい。
また、上述した実施の形態では、通信端末４として携帯電話機を用いているが、これに限るものではない。例えば、電話機能を持たない携帯通信端末を用いる形態としてもよいし、据え置き型の通信端末を用いる形態としてもよい。また、上述した実施の形態では、登録を必須としているが、登録を不要とした形態としてもよい。
【図面の簡単な説明】
【００８１】
【図１】本発明の実施の形態に係る通信システム１０の構成を示すブロック図である。
【図２】通信システム１０を構成する通信端末４およびマスコット５の外観を示す斜視図である。
【図３】通信端末４の構成を示すブロック図である
【図４】通信システム１０を構成するサーバ装置２の構成を示すブロック図である。
【図５】ウェブサイトＷのサイトマップである。
【図６】通信システム１０の動作例を示すシーケンス図である。
【図７】通信システム１０の動作例を示すシーケンス図である。
【図８】通信システム１０の動作例を示すシーケンス図である。
【図９】サーバ装置２のプロセッサ２２が行う要求対応処理の流れを示すフローチャートである。
【図１０】通信端末４の表示部４３に表示される画面例を示す図である。
【図１１】通信端末４の表示部４３に表示される画面例を示す図である。
【図１２】通信端末４の表示部４３に表示される画面例を示す図である。
【図１３】通信端末４の表示部４３に表示される画面例を示す図である。
【図１４】通信端末４の表示部４３に表示される画面例を示す図である。
【図１５】通信端末４の表示部４３に表示される画面例を示す図である。
【図１６】通信端末４の表示部４３に表示される画面例を示す図である。
【図１７】通信端末４の表示部４３に表示される画面例を示す図である。
【符号の説明】
【００８２】
１０  通信システム
２    サーバ装置
２２  プロセッサ
２３  記憶部
４    通信端末
４１  カメラ
４７  プロセッサ
５    マスコット
５１  ＱＲコード
５２  記録媒体
５３  取り付け部
【図１】
0004574653.tif 000002
【図２】
0004574653.tif 000003
【図３】
0004574653.tif 000004
【図４】
0004574653.tif 000005
【図５】
0004574653.tif 000006
【図６】
0004574653.tif 000007
【図７】
0004574653.tif 000008
【図８】
0004574653.tif 000009
【図９】
0004574653.tif 000010
【図１０】
0004574653.tif 000011
【図１１】
0004574653.tif 000012
【図１２】
0004574653.tif 000013
【図１３】
0004574653.tif 000014
【図１４】
0004574653.tif 000015
【図１５】
0004574653.tif 000016
【図１６】
0004574653.tif 000017
【図１７】
0004574653.tif 000018